(57)【要約】【課題】フィルタープレスの濾板に濾過排水路を簡単に形成する。【解決手段】濾板１を多数並列配置すると共に、濾板１間に濾枠２を介在配置するフィルタープレスにおいて、前記濾板１には濾枠２との当接部1aに交差する濾過室内外連通溝４を設け、該濾過室内外連通溝４には、その各端部側に集水口６と排水口７と成る空隙を有する様にして該空隙同士を連通させる筒体５を嵌着する。【選択図】図２
2006061775.tif 000002
【特許請求の範囲】
【請求項１】
濾板を多数並列配置すると共に、濾板間に濾枠を介在配置するフィルタープレスにおい
て、前記濾板には濾枠との当接部に交差する濾過室内外連通溝を設け、該濾過室内外連通
溝には、その各端部側に集水口と排水口と成る空隙を有する様にして該空隙同士を連通さ
せる筒体を嵌着したことを特徴とするフィルタープレスにおける濾過排水構造。
【発明の詳細な説明】
【技術分野】
【０００１】
本発明は、濾板間に濾枠を介在させたフィルタープレスにおける濾過排水構造に関する
。
【背景技術】
【０００２】
従来、上記フィルタープレスにおいては、中央に原液通過孔を貫設すると共に、該原液
通過孔を除く両面に円形の通水網板を配置し、該通水網板の下端に対応する部位に集水孔
を設けて下端面に開口する排水孔と連通させた構成の濾板を用いている。
そして、原液通過孔を除く濾板の両面に通水網板を介して濾布を被着し、濾枠を濾板間
に介在させてフィルタープレスの一端部の濾板から押圧して加圧し、これにより濾枠と濾
板とで囲繞されて成る濾過室に原液通過孔を通じて原液を供給することにより、各濾過室
内の原液は濾布で濾過され、通水網板、集水孔を通って排水孔から排水されるのである（
例えば特許文献１）。
【特許文献１】特開平８−１２６８０５号公報（図３、４）
【発明の開示】
【発明が解決しようとする課題】
【０００３】
上記の様な集水孔と排水孔を有する排水構造を濾板に形成するには、図６に示す様に、
先ず、濾板ａの下部に凹型の切欠ｂを形成し、該切欠ｂに形状が略対応した排水路形成板
ｃを溶接することにより成し得る。
上記排水路形成板ｃは、任意の上下線上において、上端に凹部ｄを形成すると共に、下
端に排水孔ｅを設け、該排水孔ｅと凹部ｄとの連通路ｆを内部に設けて成り、上記切欠ｂ
への溶接によって凹部ｄが集水孔ｇとなる。
従って、濾板ａに濾過排水路（集水孔ｇ、連通路ｆ及び排水孔ｅ）を形成するには、上
記構成の排水路形成板ｃを形成せねばならない上に、濾板ａに上記切欠ｂを形成してその
切欠ｂに排水路形成板ｃを溶接せねばならないので、その形成作業に甚だ手間、時間を要
し、コスト高となる課題を有している。
【課題を解決するための手段】
【０００４】
本発明は、濾板を多数並列配置すると共に、濾板間に濾枠を介在配置するフィルタープ
レスにおいて、前記濾板には濾枠との当接部に交差する濾過室内外連通溝を設け、該濾過
室内外連通溝には、その各端部側に集水口と排水口と成る空隙を有する様にして該空隙同
士を連通させる筒体を嵌着することにより、濾板に簡単容易に濾過排水路を形成する様に
して、上記課題を解決する。
【発明の効果】
【０００５】
要するに本発明は、濾板において、濾枠との当接部に交差する様に設けた濾過室内外連
通溝に、その各端部側に集水口と排水口と成る空隙を有する様にして該空隙同士を連通さ
せる筒体を嵌着したので、濾過時に際し濾板と濾枠で気密的に囲繞されることにより形成
される濾過室には、その内外の夫々に対応して設けられた集水口と排水口とが筒体のみを
介して通ずる濾過排水路を、従来の様な溶接作業等の手間を要することなく簡単容易に形
成でき、よってその形成作業を飛躍的に向上させて製造コストを低減できる等その実用的
効果甚だ大である。
【発明を実施するための最良の形態】
【０００６】
以下本発明の実施の形態としての実施例を図面に基づいて説明する。
図１は濾板の正面図、図２は図１の要部拡大図、図３は濾過状態の一部を示す断面図、
図４は図３の要部拡大図である。
濾板１は、フィルタープレスの長手方向で濾枠２を介在する様に多数並列配置されるも
のにして、その両面を面一の平面状と成した略正方形状に形成され、中央部に原液通過孔
３を貫設している。
【０００７】
濾板１にはその両面下方において、濾枠２との当接部（図１、２において二点鎖線で囲
まれた円環状部位）1aに交差する濾過室内外連通溝４を設けている。
濾過室内外連通溝４は、上記当接部1aとの交差方向に長い細長矩形状にして濾板１の肉
厚方向に貫設した貫通孔であり、該貫通孔（濾過室内外連通溝４）の四隅は円弧状に形成
されている。
濾過室内外連通溝４には、この溝４の長手方向の長さより短尺（溝４の円弧状の隅部を
有する端部側を除いた長さに相当）で濾板１の肉厚及び溝４の幅（短手方向の長さ）に対
応した側面を有する四角筒状の筒体５を嵌着している。
【０００８】
筒体５は、濾板１と同材質、又はその他の金属、或いはプラスチック製などから形成さ
れており、上記の様に形状設定されていることにより、濾過室内外連通溝４に嵌着された
状態では、該溝４の各端部側に集水口６と排水口７と成る空隙を有すると共に、筒体５に
おいて前記溝４より露出する一側面5aが当接部1aに面一と成り、前記空隙（集水口６及び
排水口７）同士は筒体５の中空部5bを介して連通し、集水口６、中空部5b及び排水口７に
よって一連の濾過排水路Ｆを構成する。
尚、濾過室内外連通溝４及び筒体５の形状は上記に限定されず、例えば図５に示す様に
、濾過室内外連通溝４を円形状に形成し、該溝４に対応する様に筒体５を横長に形成して
も良い。
又、筒体５は濾過室内外連通溝４に嵌着した状態で濾板１と部分的に溶接、又は接着剤
を用いて固定しても良い。
【０００９】
濾板１において濾枠２が当接する面には、外径が上記当接部1aより若干小径で中心に原
液通過孔３より大径な透孔を有する通水網板８を固着している。
又、濾板１の上方には、濾布９を吊り下げる濾布吊り装置10を装備している。
濾布吊り装置10は、濾板１の上部左右に濾布吊りアーム11を外側方へ突設し、該濾布吊
りアーム11の突端上部にガイド棒12を立設し、該ガイド棒12にコイル状のバネ材13を外嵌
すると共に、ガイド棒12の上端を横棒14の端部に摺動自在に挿通し、該横棒14に濾布９を
２つ折りに垂れ下げ、濾布９が濾板１の両面を覆う様に成している。
【００１０】
濾布９は、濾板１とほぼ同幅でその上方から下端へ至る大きさを有し、中央には原液通
過孔３と略同径な透孔を設けており、濾布吊り装置10にて吊り下られることにより、通水
網板８の上から濾板１を被覆し、該濾板１の原液通過孔３に挿通したフランジ管15のフラ
ンジと原液通過孔３周縁部との間に濾布９の透孔周縁部を挟持している。
そして、濾板１の左右側面上方には、フィルタープレスにおいて濾板１の並列方向に沿
って平行配置したレール16上を走行する支持アーム17を外側方に突設している。
【００１１】
濾枠２は、上記当接部1aに対応した合成ゴム製等の弾性材から成るリング体であり、該
リング体の外周を支持する外枠部18にて支持され、該外枠部18の左右には濾板１と同様な
支持アーム（図示せず）を設けている。
【００１２】
上記の様に濾布９と通水網板８とを装備した濾板１に濾枠２を介在してフィルタープレ
スのレール16に沿って多数支持整列させ、フィルタープレスの一端部に設けたシリンダ等
の締付装置（図示せず）の締め付けによって濾板１及び濾枠２を閉板状態と成し、これに
より濾枠２が濾板１の当接部1aに濾布９を介して気密的に密着し、濾板１及び濾枠２で囲
繞された濾過室19が順列形成されると共に、濾板１の原液通過孔３と濾枠２が連通して一
連の連通路が形成される。
又、上記濾過室19の形成状態では、筒体５の一側面5aは濾布９を介して濾枠２に密着し
、濾枠２を介して集水口６及び排水口７が濾過室19の内側と外側の夫々に存することに成
る。
そして、上記閉板状態を保持して各濾板１の原液通過孔３を通じて各濾過室19に原液Ｓ
を圧入することにより、各濾過室19内の濾布９で原液Ｓが濾過され、通水網板８を通って
濾過室19下端の濾過排水路Ｆにおける集水口６から中空部5bを通じて排水口７より外部へ
排水される。
濾過終了後は、濾板１及び濾枠２を開いて固まった濾滓を除去する。
【図面の簡単な説明】
【００１３】
【図１】濾板の正面図である。
【図２】図１の要部拡大図である。
【図３】濾過状態の一部を示す断面図である。
【図４】図２の要部拡大図である。
【図５】濾過室内外連通溝及び筒体の他例を示す拡大正面図である。
【図６】従来技術を示す要部拡大正面図である。
【符号の説明】
【００１４】
１  濾板
1a  当接部
２  濾枠
４  濾過室内外連通溝
５  筒体
６  集水口
７  排水口
【図１】
2006061775.tif 000003
【図２】
2006061775.tif 000004
【図３】
2006061775.tif 000005
【図４】
2006061775.tif 000006
【図５】
2006061775.tif 000007
【図６】
2006061775.tif 000008